(57)【要約】      （修正有）【課題】便器カバーの表面や便座の裏面に簡単に接着でき、ノロウィルスの汚染を防止できる感染瞬間防止具を提供する。【解決手段】発泡ウレタンフォーム担体１５の上下面に感圧性接着剤１４を設け、片面にリリース材１３ａをコートしたリリースライナ１３を貼り、他の片面に便器の便座及び／又はフタに取り付け得る把手１０を貼り、リリースライナを剥がすことにより便座及び／又はフタに瞬時に取り付けられ、便座フタや便座に触れること無く開閉できるようにする。【選択図】図４
0003206752.tif 000002
【実用新案登録請求の範囲】
【請求項１】
発泡ウレタンフォーム担体の上下面に感圧性接着剤を設け、片面にリリース材をコートしたリリースライナを貼り、他の片面に便器の便座及び／又はフタに取り付け得る把手を貼り、前記リリースライナを剥がすことにより前記便座及び／又はフタに瞬時に取り付けられ、前記便座フタや便座に触れること無く開閉できることを特徴とするノロウィルス等感染瞬間防止具。
【考案の詳細な説明】
【技術分野】
【０００１】
本考案は便器に付着させるノロウィルス防止具に関する。
【背景技術】
【０００２】
従来の便器は、図１に示すように便座１にノロウィルス２が付着している。
図２は便器３からフタ４を開けるとノロウィルス２が空中に浮遊していることを示す。使用者がトイレを使用する時、フタ４を開閉する時、便座１に触る時、便座１を持ち上げる時に、ノロウィルス２が手や身体に付着して口の中に入り、体内に入る。感染力があるため、空中感染する場合もある。
【０００３】
体内に入ったノロウィルスは、風邪に似た症状を引き起こす。例えば、下痢やおう吐、腹痛、高熱等の症状を引き起こす。ノロウィルスを予防するには現在方法が無くノロウィルスに感染しないことである。手洗いや外を歩くときはマスクがかかせないが、トイレを使用すると、どうしてもノロウィルス２が手に付着してしまう。そこで手が便器に触らないように、簡単に解決するため本考案がなされた。
【先行技術文献】
【特許文献】
【０００４】
【特許文献１】実用新案登録第３０８６１５０号
【特許文献２】特開平１０−２２９９５６号公報
【特許文献３】実開平６−６６４９６号公報
【考案の概要】
【考案が解決しようとする課題】
【０００５】
特許文献１記載の考案は、便座には吸盤式のつまみが取り付けられる。吸盤式の場合は、表面がツルツルでないと着かない、またツルツルの表面でも年月が経つと密閉が抜け外れてしまうので実用にならない。また、把手の形状によっては子供の手を傷つける場合がある。
特許文献２記載の考案は、把手が頑丈なので、後付けができない。また、特許文献３記載の考案は便座カバーへの把手の取付けが面倒である。
【課題を解決するための手段】
【０００６】
本考案はこのような課題に鑑みてなされたものであって、便器のカバーの表面や便座の裏面に簡単に押すだけで接着できる。カバーに取り付けたものと便座に取り着けたものの位置が重ならないようにできしかも平たい板状の縦方向に長めの把手で製造容易、安価、在庫場所を取らず、軽くて携帯便利である。
【考案の効果】
【０００７】
更に本考案を使用すれば、人がトイレを使用する時に、ノロウィルスが手に付着しないようにすることができ、ノロウィルスから人が感染することがなくなる。且つカバーと便座を別々に又は同時に上下できるので実用的に極めて便利である。
【図面の簡単な説明】
【０００８】
【図１】便座にノロウィルスが着いている状態を示す図
【図２】便器のフタを開けた時飛び散るノロウィルスを示す図
【図３】本考案の把手の平面図
【図４】本考案の把手の横断側面図（判りやすくするため接着部の厚みは拡大して示している）
【図５】便座の裏側に取り付けた本考案の把手を示す図
【図６】便器の表側から見た本考案品を取り付けた図
【図７】便器のフタ表面に本考案品を取り付けた図
【図８】フタと便座に両方取り付けても別個に開けられ、便座に取り付けても本考案品による時、フタ、便座同時に開くことができることを示す図
【図９】他の取付け位置の本考案の実施例を示す図
【図１０】本考案の把手の他の実施例を示す図
【図１１】本考案の把手の他の実施例を示す図
【図１２】本考案の把手の他の実施例を示す図
【図１３】本考案の把手の他の実施例を示す図
【図１４】本考案の把手の他の実施例を示す図
【図１５】図１４に示す本考案の把手の裏面の実施例を示す図
【考案を実施するための形態】
【０００９】
以下、図面を参照して本考案の実施例を詳細に説明する。図３は本考案の構成例を示す図である。図１，図２と同一のものは、同一の符号を付して示す。  図３は本考案の平面図で、１０は平で長方形のプラスティック、紙、木、金属等の柄である。１０ａは感圧性接着部、１０ｂはつまみ部である。
【００１０】
図４は本考案製品の横断面図である。接着部の厚みは説明のため、拡大して示している。感圧性接着部１０ａは、図４に示すとおり上から下面にリリース剤１３ａをコーティングしたリリースライナ１３、感圧性接着剤（ＰＳＡ）１４，発泡ウレタン１５，ＰＳＡ１４，把手１０の層になっている。この把手１０を便座１やカバー（フタ）４に取り付ける場合、リリースライナ１３を剥がし、ＰＳＡ１４面を出して把手１０を便座１の裏面、カバー４の表面に取り付けると、便座は図５に示すようなものとなる。
【００１１】
図６において、１０は便座１の下に取り付けられた本考案に係る把手である。図７において、１１はフタ４の表面に取り付けられた本考案に係る把手である。把手１０は便座１の裏面に接着するので座っても異物感が無い。
【００１２】
本考案によれば、発泡ウレタン層１５（図４参照）があるので、便器が凹凸でも追随し、感圧性接着剤で瞬時に接着できる。把手は便座又はフタの任意の位置に後付けで取り付けることができる。インスタントでしかも非常に安価で衛生的になる。  
【００１３】
フタ４に取り付ける場合はフタ４の裏面が大きく凹んでいるので、把手１１は、図７に示すようにフタ４の表面に接着することを奨める。便座１とフタ４の双方に把手をつけた場合、フタ４を占めた状態で上から見ると、図８に示すように、便座１の把手１０とフタ４の把手１１をずれて接着すればどちらかを選択して開閉できる。但し、１０だけでもよく、この場合、１０だけでフタ４と便座１を同時に上げられるし、また、２枚上げてから１０で便座のみ下げることもできる。
【００１４】
図７，図８では把手１１を右効きの人用に右に着けたが、図９は本考案把手１０又は１１又は両方を両足１２の間に着ける実施例で、図７，図８に比べ把手１０，１１が足１２のじゃまにならない利点がある。
図１０，１１は把手の他の実施例を示す図である。図１０の実施例は、把手の１０ｂ部に穴２０を設けたもので、便座の開閉をする時に、穴２０に指を入れられるので、確実に便座を開閉することができる。また、穴２０に鉛筆等の筆記具を立てておき、トイレで出た思想をメモするのに便利である。
また、図１１に示す実施例の場合は、女性用トイレに使用すると女性に喜ばれる把手１０にハート形のつまみ２１を設けたものでトイレの雰囲気を和らげることができる。
【００１５】
図１２，図１３は把手の他の実施例を示す図で、図１２は把手に花柄２２をあしらったものを設けた例、図１３は把手先端にスワロフスキージルコニア２３をあしらったものを設けた例でいずれも女性用又はデリシャス用である。図１４，図１５は他の実施例を示す図で、図１４はフタ用本案の表面、図１５はフタ用本案の裏面を示している。フタ用本案の表面は図１４に示すようにスワロフスキージルコニア２３が全面にちりばめられ、フタ用本案の裏面は図１５に示すように感圧性接着剤１０ａは設けられていない。
【００１６】
上述では、ノロウィルスを予防する場合について説明したが、本考案はノロウィルスに限らず、伝染性のあるウイルス全てに適用することができるものであり、本考案に含まれるものである。
【産業上の利用可能性】
【００１７】
本考案により便器のフタを完全に常に閉めておけるのでノロウィルス等の発生を防止でき、便座及び/又はフタやカバーに、把手を便器の必要な箇所に瞬時に設けられるので、便座やフタに直接触れないで開閉することができ、ノロウィルスが手に付着するのを予防することができる。しかも吸盤などよりも早く安価にでき、確実に取り付けられるので、幅広く利用され、産業上の利用可能性大である。
【符号の説明】
【００１８】
１  便座
２  ノロウィルス
３  便器側面図
４  便器フタ
１０  本考案把手
１０ａ  接着部
１０ｂ  把手部
１１    便器の裏１ａに取り着けた本考案把手
１２    便器を使用する人の両足
１３    リリースライナ
１３ａ  リリース材コーティング
１４    感圧性接着剤（ＰＳＡ）
１５    発泡ウレタンフォーム坦体
１８  便座裏のゴム等クッション
２０  把手に設けられた穴
２１  把手に設けられたハート
２２  花柄
２３  スワロフスキージルコニア
【図１】
0003206752.tif 000003
【図２】
0003206752.tif 000004
【図３】
0003206752.tif 000005
【図４】
0003206752.tif 000006
【図５】
0003206752.tif 000007
【図６】
0003206752.tif 000008
【図７】
0003206752.tif 000009
【図８】
0003206752.tif 000010
【図９】
0003206752.tif 000011
【図１０】
0003206752.tif 000012
【図１１】
0003206752.tif 000013
【図１２】
0003206752.tif 000014
【図１３】
0003206752.tif 000015
【図１４】
0003206752.tif 000016
【図１５】
0003206752.tif 000017